(57)【特許請求の範囲】
【請求項１】
本体内に上下に区画形成され冷蔵ゾーンの温度帯の上部室と冷凍ゾーンの温度帯の下部室と、前記上部室と前記下部室とを上下に区画する断熱仕切り壁と、前記上部室の奥面に備え前記上部室と前記下部室に亘って冷却室を区画形成する奥面仕切り壁と、前記冷却室の冷却器によって前記上部室および前記下部室を冷却する冷蔵庫であって、前記断熱仕切り壁は前部仕切り壁と後部仕切り壁とで構成され、前記奥面仕切り壁は前記上部室の奥面を形成する上部奥面仕切り壁と前記下部室の奥面を形成する下部奥面仕切り壁とで構成され、前記後部仕切り壁は前方において操作部と係止部とを有する固定手段により前記前部仕切り壁に固定され、前記前部仕切り壁は孔部と傾斜壁とを有するものとし、前記係止部は傾斜部を有するものとし、後方において前記上記奥面仕切り壁の所定箇所に形成した位置決め部に突き合せて固定されるものとし、前記下部奥面仕切り壁は前記断熱仕切り壁の受面よりも下方で前記上部奥面仕切り壁に接続されて、前記下部奥面仕切り壁と前記上部奥面仕切り壁とは別部品による固定手段なしで固定され、工具なしで前記下部奥面仕切り壁を着脱可能にしたことを特徴とする冷蔵庫。
【請求項２】
奥面仕切り壁の後方に配置し各室への冷気流路を形成する奥面仕切り壁裏面部材を備え、前記奥面仕切り壁裏面部材は上部奥面仕切り壁と下部奥面仕切り壁とに亘って配置し、前記下部奥面仕切り壁を外した時に、前記奥面仕切り壁裏面部材の一部が露出して、前記露出部に開口された冷気戻り口を介して冷却室内部を目視できることを特徴とする請求項１に記載の冷蔵庫。
【発明の詳細な説明】
【技術分野】
【０００１】
本発明は各室に区画形成する仕切り壁を備えた冷蔵庫に関するものである。
【背景技術】
【０００２】
冷蔵庫本体の発泡終了後に、上部室と下部室とを区画する仕切り部を挿入して区画形成するものがある（例えば、特許文献１参照）。
【０００３】
図１２は特許文献１に記載された従来の冷蔵庫を示すものである。
【０００４】
図１２に示すように、冷却器室３３は冷蔵庫本体１の下側後方に配置され、冷却器３で冷却された冷気を循環させるファン２が収納されている。冷蔵庫本体１は、上部に冷蔵室４、冷蔵室前面に開閉扉５を有し、冷蔵室下部に貯氷室６と切替室７を横並びに配置し、前面にそれぞれ引出し扉８，９を備えている。また、貯氷室６と切替室７の下部には野菜室１０、野菜室１０の前面には引出し扉１１、最下部に冷凍室１２と前面に引出し扉１３が構成されている。
【０００５】
また野菜室１０と冷凍室１２を上下に仕切る後縁仕切り部１４は冷凍室１２と野菜室１０の扉のガスケット受面を構成する前縁仕切り部１５と冷却器室３３を区画する仕切り板１６の間に蓋をするように取り付けられている。
【０００６】
また、仕切り板１６は野菜室１０と冷凍室１２とに亘って、一体の仕切り板で構成されている。
【０００７】
以上のように構成された冷蔵庫において、以下その動作について説明する。
【０００８】
冷蔵庫本体１の発泡終了後に冷却器３を取り付け配管等を溶接した後、仕切り板１６をビス等で冷蔵庫本体に固定する。そして後縁仕切り部１４を前縁仕切り部１５と仕切り板１６の間に取付け、後縁仕切り部１４をビス等で前縁仕切り部１５に押さえつけて固定する。
【特許文献１】特開２００２−１３８６４号公報
【発明の開示】
【発明が解決しようとする課題】
【０００９】
しかしながら、上記従来の構成では、仕切り板１６は後縁仕切り部１４を固定したままで取外すことはできず、また取外せたとしても工具を使って外さなければならないため、容易に冷却器室３３内部を目視して冷却器３の霜つき状態がチェックできないという課題を有していた。
【００１０】
このため、サービスマンが修理するときは、野菜室１０および冷凍室１２内の食品を外へ出した後、仕切り部１５を外して、さらに仕切り板１６を工具等で外して冷却器室３３を目視することになるため、非常に時間がかかり外へ出した食品が解け出したり、品質にも影響を与えるという虞があった。
【００１１】
本発明は、冷却器室を仕切る仕切り部の一部を工具等を使わないで容易に着脱して冷却器を目視できるので、サービスマンの修理時間を短縮することができサービス性を高めることを目的とする。
【課題を解決するための手段】
【００１２】
上記従来の課題を解決するために、本発明の冷蔵庫は、本体内に上下に区画形成され冷蔵ゾーンの温度帯の上部室と冷凍ゾーンの温度帯の下部室と、前記上部室と前記下部室とを上下に区画する断熱仕切り壁と、前記上部室の奥面に備え前記上部室と前記下部室に亘って冷却室を区画形成する奥面仕切り壁と、前記冷却室の冷却器によって前記上部室およ
び前記下部室を冷却する冷蔵庫であって、前記断熱仕切り壁は前部仕切り壁と後部仕切り壁とで構成され、前記奥面仕切り壁は前記上部室の奥面を形成する上部奥面仕切り壁と前記下部室の奥面を形成する下部奥面仕切り壁とで構成され、前記後部仕切り壁は前方において操作部と係止部とを有する固定手段により前記前部仕切り壁に固定され、前記前部仕切り壁は孔部と傾斜壁とを有するものとし、前記係止部は傾斜部を有するものとし、後方において前記上記奥面仕切り壁の所定箇所に形成した位置決め部に突き合せて固定されるものとし、前記下部奥面仕切り壁は前記断熱仕切り壁の受面よりも下方で前記上部奥面仕切り壁に接続されて、前記下部奥面仕切り壁と前記上部奥面仕切り壁とは別部品による固定手段なしで固定され、工具なしで前記下部奥面仕切り壁を着脱可能にしたものである。
【００１３】
これによって、断熱仕切り壁を固定したまま、奥面仕切り壁の一部の取り外しを可能とし、取外した部分から冷却器室を目視できるので、サービスマンの修理時間短縮を図りサービス性を高めることができる。
【発明の効果】
【００１４】
本発明の冷蔵庫は、奥面仕切り壁の一部を取外すだけで冷却器室内部を目視でき、サービス時間の短縮を図り、サービス性を高めることができる。
【発明を実施するための最良の形態】
【００１５】
請求項１に記載の発明は、本体内に上下に区画形成され冷蔵ゾーンの温度帯の上部室と冷凍ゾーンの温度帯の下部室と、前記上部室と前記下部室とを上下に区画する断熱仕切り壁と、前記上部室の奥面に備え前記上部室と前記下部室に亘って冷却室を区画形成する奥面仕切り壁と、前記冷却室の冷却器によって前記上部室および前記下部室を冷却する冷蔵庫であって、前記断熱仕切り壁は前部仕切り壁と後部仕切り壁とで構成され、前記奥面仕切り壁は前記上部室の奥面を形成する上部奥面仕切り壁と前記下部室の奥面を形成する下部奥面仕切り壁とで構成され、前記後部仕切り壁は前方において操作部と係止部とを有する固定手段により前記前部仕切り壁に固定され、前記前部仕切り壁は孔部と傾斜壁とを有するものとし、前記係止部は傾斜部を有するものとし、後方において前記上記奥面仕切り壁の所定箇所に形成した位置決め部に突き合せて固定されるものとし、前記下部奥面仕切り壁は前記断熱仕切り壁の受面よりも下方で前記上部奥面仕切り壁に接続されて、前記下部奥面仕切り壁と前記上部奥面仕切り壁とは別部品による固定手段なしで固定され、工具なしで前記下部奥面仕切り壁を着脱可能にしたものである。
【００１６】
これによって、断熱仕切り壁を固定したまま、下部奥面仕切り壁を外して冷却器室内部を目視できるので、サービス時間を短縮することができる。
【００１７】
請求項２に記載の発明は、請求項１に記載の発明にさらに、奥面仕切り壁の後方に配置し各室への冷気流路を形成する奥面仕切り壁裏面部材を備え、前記奥面仕切り壁裏面部材は上部奥面仕切り壁と下部奥面仕切り壁とに亘って配置し、前記下部奥面仕切り壁を外した時に、前記奥面仕切り壁裏面部材の一部が露出して、前記露出部に開口された冷気戻り口を介して冷却室内部を目視できるものである。
【００１８】
これによって、奥面仕切り壁裏面部材が固定されたままでも内部の目視を行うことができる。
【００２１】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２２】
（実施の形態１）
図１は、本発明の実施の形態１における冷蔵庫の縦断面図である。図２ａは、本発明の実施の形態１における冷蔵庫の野菜室近傍の正面図である。図２ｂは、本発明の実施の形態１における冷蔵庫の野菜室近傍の別形態の正面図である。図３ａは、本発明の実施の形態１における冷蔵庫の野菜室近傍の断面図であり、図３ｂは、本発明の実施の形態１における野菜室の側面図であり、図３ｃは、図３ｂのＡ部拡大図である。
【００２３】
また、図４は、図２ａのＡ−Ａ部の静電霧化装置近傍の詳細断面図である。図５ａは、本発明の実施の形態１における冷蔵庫の第２仕切り壁の斜視図であり、図５ｂは、図５の第２仕切り壁の斜視図である。図６ａは、本発明の実施の形態１における冷蔵庫のリベット部材の斜視図であり、図６ｂは、本発明の実施の形態１における冷蔵庫のリベット部材の平面図である。図７ａは、本発明の実施の形態１における冷蔵庫の第２仕切り壁のリベット部材による固定前の斜視図であり、図７ｂは、本発明の実施の形態１における冷蔵庫の第２仕切り壁のリベット部材による固定時の斜視図であり、図７ｃは、図５ｂのＢ−Ｂ断面図である。図８は、本発明の実施の形態１における冷蔵庫の要部断面図である。図９は、本発明の実施の形態１における冷蔵庫の奥面仕切り壁の斜視図である。図１０は、本発明の実施の形態１における冷蔵庫の要部断面図である。図１１は、本発明の実施の形態１における冷蔵庫の仕切り壁の分解斜視図である。
【００２４】
図において、冷蔵庫１００の断熱箱体１０１は主に鋼板を用いた外箱１０２とＡＢＳなどの樹脂で成型された内箱１０３で構成され、その内部には例えば硬質発泡ウレタンなどの発泡断熱材が充填されている。これにより、貯蔵室を断熱するのと同時に、複数の貯蔵室に区分されている。冷蔵庫１００の最上部には第一の貯蔵室としての冷蔵室１０４、その冷蔵室１０４の下部に第四の貯蔵室としての切換室１０５と第五の貯蔵室としての製氷室１０６が横並びに設けられ、その切換室１０５と製氷室１０６の下部に第二の貯蔵室としての野菜室１０７、そして最下部に第三の貯蔵室としての冷凍室１０８が構成されている。
【００２５】
冷蔵室１０４は冷蔵保存のために凍らない温度を下限に通常１℃〜５℃とし、野菜室１０７は冷蔵室１０４と同等もしくは若干高い温度設定の２℃〜７℃としている。冷凍室１０８は冷凍温度帯に設定されており、冷凍保存のために通常−２２℃〜−１５℃で設定されているが、冷凍保存状態の向上のために、例えば−３０℃や−２５℃の低温で設定されることもある。切換室１０５は、１℃〜５℃で設定される冷蔵、２℃〜７℃で設定される野菜、通常−２２℃〜−１５℃で設定される冷凍の温度帯以外に、冷蔵温度帯から冷凍温度帯の間で予め設定された温度帯に切り換えることができる。切換室１０５は製氷室１０６に並設された独立扉を備えた貯蔵室であり、引出し式の扉を備えることが多い。なお、本実施の形態では切換室１０５を冷蔵，冷凍の温度帯までを含めた貯蔵室としているが、冷蔵は冷蔵室１０４，野菜室１０７、冷凍は冷凍室１０８に委ねて、冷蔵と冷凍の中間の上記温度帯のみの切り換えに特化した貯蔵室としても構わない。また、特定の温度帯に固定された貯蔵室でもかまわない。製氷室１０６は、冷蔵室１０４内の貯水タンク（図示せず）から送られた水で室内上部に設けられた自動製氷機（図示せず）で氷を作り、室内下部に配置した貯氷容器（図示せず）に貯蔵する。
【００２６】
断熱箱体１０１の天面部は冷蔵庫の背面方向に向かって階段状に凹みを設けた形状であり、この階段状の凹部に機械室を形成して圧縮機１０９、水分除去を行うドライヤ（図示せず）等の冷凍サイクルの高圧側構成部品が収容されている。すなわち、圧縮機１０９を配設する機械室は、冷蔵室１０４内の最上部の後方領域に食い込んで形成されることになる。手が届きにくくデッドスペースとなっていた断熱箱体１０１の最上部の貯蔵室後方領域に機械室を設けて圧縮機１０９を配置することにより、従来の冷蔵庫で、使用者が使いやすい断熱箱体１０１の最下部にあった機械室のスペースを貯蔵室容量として有効に転化することができ、収納性や使い勝手を大きく改善することができる。なお、本実施の形態における、以下に述べる発明の要部に関する事項は、従来一般的であった断熱箱体１０１の最下部の貯蔵室後方領域に機械室を設けて圧縮機１０９を配置するタイプの冷蔵庫に適用しても構わない。
【００２７】
野菜室１０７と冷凍室１０８の背面には冷気を生成する冷却室１１０が設けられ、その間には、断熱性を有する各室への冷気の搬送風路と、各室と断熱区画するための断熱材で構成された奥面仕切り壁２００が備えられている。冷却室１１０内には、冷却器１１２が配設されており、冷却器１１２の上部空間には強制対流方式により冷却器１１２で生成した冷気を冷蔵室１０４、切換室１０５、製氷室１０６、野菜室１０７、冷凍室１０８に送風する冷却ファン１１３が配置され、冷却器１１２の下部空間には冷却時に冷却器１１２やその周辺に付着する霜や氷を除霜するためのガラス管製のラジアントヒータ１１４が設けられ、さらにその下部には除霜時に生じる除霜水を受けるためのドレンパン１１５、その最深部から庫外に貫通したドレンチューブ１１６が構成され、その下流側の庫外に蒸発皿１１７が構成されている。
【００２８】
野菜室１０７には、野菜室１０７の引出し扉１１８に取り付けられたフレームに載置された下段収納容器１１９と、下段収納容器１１９に載置された上段収納容器１２０が配置されている。
【００２９】
下段収納容器１１９は、仕切り体１６７より扉１１８側の飲料収納部１６６にペットボトルや缶、ビンなどを収納する飲料収納部１６６と飲料と食品収納の空間を仕切るための飲料仕切り板１６７が構成されている。
【００３０】
引出し扉１１８が閉ざされた状態で主に上段収納容器１２０を略密閉するための蓋体１２２が野菜室上部の第一の仕切り壁１２３及び内箱１０３に保持されている。引出し扉１１８が閉ざされた状態で蓋体１２２と上段収納容器１２０の上面の左右辺、奥辺が密接し、上面の前辺は略密接している。さらに、上段収納容器１２０の背面の左右下辺と下段収納容器１１９の境界部は、上段収納容器１２０が稼働する上で接触しない範囲で食品収納部の湿気が逃げないよう隙を詰めている。
【００３１】
具体的には図３ｂ，図３ｃに示すように、蓋体１２２の野菜室用吐出口１２４と対向する部分は野菜室用吐出口１２４から流入した冷気が前方へ向かいやすいように傾斜部１２２ａを有しており、野菜室用吐出口１２４から流入する冷気の流れに対して鈍角で接することで、より前方かつ上方部分へと冷気の流れを誘導する形状とすることが好ましい。
【００３２】
また、扉が閉じる場合に、蓋体１２２の背面側の背面蓋係合部１２２ｂと、背面蓋係合部１２２ｂと係合する上段収納容器１２０と上段収納容器係合部１２０ａとは互いに傾斜しており、扉が完全に閉まる際に初めて背面蓋係合部１２２ｂと上段収納容器係合部１２０ａとが係合する形状としている。
【００３３】
さらに、蓋体１２２の野菜室用吐出口１２４側の端部には下方へ延出したフランジ部１２２ｃが設けられている。
【００３４】
また、上段収納容器１２０は、その底面側の一部が下段収納容器１１９内に配置されており、この下段収納容器１１９内に配置されている上段収納容器１２０に複数の空気流通穴７１が設けられている。
【００３５】
また、上段収納容器１２０の底面は、凹凸形状で形成された波型形状としている。
【００３６】
蓋体１２２と第一の仕切り壁１２３の間には、奥面仕切り壁２００に構成された野菜室用吐出口１２４から吐出された冷気の風路が設けられている。また、下段収納容器１１９と第二の仕切り壁１２５との間にも空間が設けられ冷気風路を構成している。野菜室１０７の背面側に位置する奥面仕切り壁２００の下部には、野菜室１０７内を冷却し熱交換された冷気が冷却器１１２に戻るための野菜室用吸込口１２６が設けられている。
【００３７】
なお、従来一般的であった扉に取り付けられたフレームと内箱に設けられたレールにより開閉するタイプの冷蔵庫に適用しても構わない。また、蓋体１２２、野菜室吐出口、吸い込み口、風路構成については、収納容器の形態によりそれらは最適化される。
【００３８】
奥面仕切り壁２００は、主にＡＢＳなどの樹脂を用いた第１奥面仕切り壁表面１５１と発泡スチロールなどを用い、各室へ冷気を循環するための風路と、冷却室１１０と野菜室１０７の間を隔離、断熱性を確保する断熱材１５２で構成されている。ここで、奥面仕切り壁２００の貯蔵室内側の壁面の一部に他の箇所より低温になるように凹部２００ａを設け、その箇所に霧化装置である静電霧化装置１３１が設置されている。
【００３９】
霧化装置である静電霧化装置１３１は主に霧化部１３９、電圧印加部１３３、外郭ケース１３７で構成され、外郭ケース１３７の一部には、噴霧口１３２と湿度供給口１３８が構成されている。霧化部１３９は、霧化先端部である霧化電極１３５が設置され、霧化電極１３５はアルミニウムやステンレスなどの良熱伝導部材からなる電極冷却部材である円柱状の金属ピン１３４の一端でほぼ中心に固定されて接続している。
【００４０】
さらに、金属ピン１３４の中心軸上に霧化電極１３５を取り付けることより金属ピン１３４を取り付け時、回転させても対向電極１３６と霧化電極１３５の距離が一定に保つことができ、安定した放電距離を確保できる。
【００４１】
また、金属ピン１３４は外郭ケース１３７に固定され、金属ピン１３４自体は外郭ケース１３７から突起して構成されている。また、霧化電極１３５に対向している位置で貯蔵室側にドーナツ円盤状の対向電極１３６が、霧化電極１３５の先端と一定距離を保つように取付けられ、その延長上に噴霧口１３２が構成されている。
【００４２】
次に、野菜室１０７と冷凍室１０８とを上下に仕切る第二の仕切り壁１２５について説明する。第二の仕切り壁１２５は、前部仕切り壁１２５ａと後部仕切り壁１２５ｂとの２部品で構成されており、前部仕切り壁１２５ａ内部は、内箱１０３内部に充填された硬質発泡ウレタンなどの発泡断熱材が充填されており、取り外すことはできず固定されている。
【００４３】
後部仕切り壁１２５ｂは、発泡スチロールなど合成樹脂の断熱部材１７０を内部に備え、樹脂製の上部仕切り枠１７１と下部仕切り枠１７２とで外郭を形成している。
【００４４】
また、前部仕切り壁１２５ａの後縁部に第１段差部１７３を形成し、後部仕切り壁１２５ｂの前縁部に第２段差部１７４を形成している。そして第二の仕切り壁１２５は第１段差部１７３の上に第２段差部１７４を嵌め合わせ、後部仕切り壁１２５ｂが着脱自在に固定されている。
【００４５】
着脱自在に固定する構造は、後部仕切り壁１２５ｂの上部仕切り枠１７１に第２段差部１７４および前部仕切り壁１２５ａの第１段差部１７３に連通して、前部仕切り壁１２５ａと後部仕切り壁１２５ｂとを固定するリベット部材１７５（固定手段ともいう）を備えている。
【００４６】
リベット部材１７５自体は、一方側は円筒状の基部１７５ｂの上部に利用者が手で操作できる凸部１７５ａ（操作部）と、基部１７５ｂの下面には爪部１７５ｃ（回転防止手段）が一体成形され、さらに基部１７５ｂから爪部１７５ｃに向かって緩やかに傾斜した傾斜部１７５ｆを形成している。またリベット部材１７５の一方側と他方側は軸部１７５ｄで連結され、他方側には矩形状の係止部１７５ｅ（抜け防止手段）を有した樹脂製部品で構成されている。係止部１７５ｅの一部には傾斜部１７５ｇを備えている。
【００４７】
またリベット部材１７５が装着される前部仕切り壁１２５ａと後部仕切り壁１２５ｂの構造について説明する。後部仕切り壁１２５ｂの上部仕切り枠１７１には凹部１７１ａを複数個形成し、凹部１７１ａ内に係止部１７５ｅよりも大きい矩形状の開口部１７１ｂを備え、開口部１７１ｂの周囲に、爪部１７５ｃと上下係止関係となってリベット部材１７５の回転防止をする突起部１７１ｃを凹部１７１ａに一体成形している。
【００４８】
前部仕切り壁１２５ａの第１段差部１７３にも矩形状の孔部１７６を備え、孔部１７６内部の空間には係止部１７５ｅとの係合によって前部仕切り壁１２５ａに後部仕切り壁１２５ｂを固定する抜け防止手段となる傾斜壁１７７が前部仕切り壁１２５ａに一体成形されている。
【００４９】
前部仕切り壁１２５ａと後部仕切り壁１２５ｂとは、上記のような複数のリベット部材１７５によって複数箇所で固定されている。
【００５０】
また後部仕切り壁１２５ｂの後方の固定は、第１奥面仕切り壁１１１（上部奥面仕切り壁ともいう）の所定箇所に形成した位置決め部に突き合わせているのみである。
【００５１】
奥面仕切り壁２００の構成について説明する。奥面仕切り壁２００は野菜室１０７と冷凍室１０８の奥面に亘って配置され、奥面仕切り壁２００の上端部は第一の仕切り壁１２３よりも下方に取付けられる構成となっている。また奥面仕切り壁２００は上下２つの奥面仕切り壁によって構成され、上側は野菜室１０７の奥面に備えた第１奥面仕切り壁１１１と、下側は冷凍室１０８の奥面に備えた第２奥面仕切り壁１８０（下部奥面仕切り壁ともいう）となるように上下分割できる２つの奥面仕切り壁で構成されている。
【００５２】
また第２奥面仕切り壁１８０は、後部仕切り壁１２５ｂの奥面仕切り壁２００に対する受面よりも下方で、第１奥面仕切り壁１１１に接続されている。
【００５３】
第１奥面仕切り壁１１１の構成について説明する。第１奥面仕切り壁１１１は、主にＡＢＳなどの樹脂を用いた第１奥面仕切り壁表面部材１５１と発泡スチロールなどを用い、各室へ冷気を循環するための風路と、冷却室１１０と野菜室１０７の間を隔離、断熱性を確保する第１断熱材１５２で構成されている。
【００５４】
また第２奥面仕切り壁１８０は、主にＡＢＳなどの樹脂を用いた第２奥面仕切り壁表面部材１８１と発泡スチロールなどを用い、冷凍室１０８へ冷気を循環するための風路と、各室へ冷気を循環するための風路と、冷却室１１０と冷凍室１０８の間を隔離、断熱性を確保する第２断熱材１８２で構成されている。
【００５５】
また第１断熱材１５２と第２断熱材１８２との後方には冷気を各室に案内するエアガイドとなる樹脂製の奥面仕切り壁裏面部材１８３を備え、第１奥面仕切り壁表面部材１５１と第２奥面仕切り壁表面部材１８１とは内部に第１断熱材１５２および第２断熱材１８２を固定しながら奥面仕切り壁裏面部材１８３と爪部材等による係止関係で固定される。また第１奥面仕切り壁表面部材１５１は奥面仕切り壁裏面部材１８３とともに内箱１０３にビス固定されている。
【００５６】
次に、第２奥面仕切り壁表面部材１８１の固定構造について説明する。第２奥面仕切り壁表面部材１８１の両側部および上下縁部には爪部１８１ａを備え、両側部と下部に形成した爪部１８１ａと奥面仕切り壁裏面部材１８３の爪引っ掛け部１８３ａとが係止構造となって固定され、上部に形成した爪部１８１ａが第１奥面仕切り壁表面部材１５１の下部内部に挿入されて係止構造となっており、ビスを使用しないで固定されている。
【００５７】
以上のように構成された冷蔵庫について、以下その動作、作用を説明する。
【００５８】
まず、冷凍サイクルの動作について説明する。庫内の設定された温度に応じて制御手段からの信号により冷凍サイクルが動作して冷却運転が行われる。圧縮機１０９の動作により吐出された高温高圧の冷媒は、凝縮器（図示せず）である程度凝縮液化し、さらに冷蔵庫本体の側面や背面、また冷蔵庫本体の前面間口に配設された冷媒配管（図示せず）などを経由し冷蔵庫本体の結露を防止しながら凝縮液化し、キャピラリ（図示せず）に至る。その後、キャピラリでは圧縮機１０９への吸入管（図示せず）と熱交換しながら減圧されて低温低圧の液冷媒となって冷却器１１２に至る。ここで、低温低圧の液冷媒は、冷却ファン１１３の動作により各貯蔵室内の空気と熱交換され、冷却器１１２内の冷媒は蒸発気化する。この時、冷却室１１０で各貯蔵室を冷却するための冷気を生成する。低温冷気は冷却ファン１１３から冷蔵室１０４、切替室１０５、製氷室１０６、野菜室１０７、冷凍室１０８に冷気を風路やダンパを用いて分流させ、それぞれの目的温度帯に冷却する。特に、野菜室１０７は、冷蔵室１０４を冷却した後、その空気を冷却器１１２に循環させるための冷蔵室戻り風路の途中に構成された野菜室用吐出口１２４から野菜室１０７に吐出し、上段収納容器１２０や下段収納容器１１９の外周に流し間接的に冷却し、その後、野菜室用吸込口１２６から再び冷却器１１２に戻る循環風路になっている。また、野菜室１０７の温度制御については、冷気の配分や仕切り壁に備えられた仕切り壁ヒータ１５４などのＯＮ／ＯＦＦ運転で行っており、これらの制御により２℃から７℃になるように調整されている。なお、一般的には庫内温度検知手段をもたないものが多い。
【００５９】
野菜室１０７の奥面に設置されている奥面仕切り壁２００には、凹部が構成され、この箇所に静電霧化装置１３１が取り付けられている。ここで、霧化部１３９である金属ピン１３４の後方は最深凹部２００ｂがあり、断熱材の厚みは例えば２ｍｍ〜１０ｍｍ程度で構成され、他の箇所より低温状態になる。本実施の形態の冷蔵庫においては、この程度の厚みが金属ピンと調整手段との間に位置する熱緩和部材としての適切なものとなる。これにより、奥面仕切り壁２００は凹部２００ａが構成され、この箇所の最背面の最深凹部２００ｂに金属ピン１３４の凸部１３４ａが突出した形状の静電霧化装置１３１が嵌めこまれて、取り付けられている。
【００６０】
金属ピン１３４背面の冷凍室吐出風路１４１には、冷凍サイクルの運転により冷却器１１２で冷気が生成され、冷却ファン１１３により−１５〜−２５℃程度の冷気が吐出、風路表面から熱伝導で金属ピン１３４が０〜−１０℃程度に冷却される。このとき、金属ピン１３４は、良熱伝導部材であるため、冷熱を非常に伝えやすく、金属ピン１３４に固定された霧化電極１３５も金属ピン１３４を介して０〜−１０℃程度に冷却される。
【００６１】
ここで、野菜室は２℃から７℃で、かつ野菜などからの蒸散により比較的高湿状態を保持するので、霧化先端部である霧化電極１３５は露点以下となり、先端を含め、霧化電極１３５には水が生成し、水滴が付着する。
【００６２】
このとき、下段収納容器１１９に収納されている比較的水分の多い食品、例えば白菜やほうれん草、レタスなどからの蒸散により発生した水蒸気は、上部収納容器１２０の下部と下部収納容器の上部の隙間より奥面仕切り壁部２００に流出する。ここで、その上下方向に左右方向に連続して上部リブ１６１、および下部リブ１６２が構成されているため流出した水蒸気が逃げにくくなっており、これにより静電霧化装置１３１近傍は、比較的高湿に保たれる。
【００６３】
また、野菜室用吐出口１２４から冷気が野菜室１０７内へ流入している場合には、主に蓋体１２２と第一の仕切り壁１２３との間の空間を通り、上段収納容器１２０の扉側である手前部分から下段収納容器１１９の手前部分の収納飲料収納部１６６に入る。
【００６４】
また、野菜室用吐出口１２４から冷気が野菜室１０７内へ流入する冷気の一部は、上段収納容器１２０の底面と下段収納容器１１９の背面上端との間隙から下段収納容器１１９内に入り、内部の収納食品を冷却することになるが、この流れは一部であって、内部の収納食品の冷却は、主に蓋体１２２の上部側の空間である蓋体１２２と第一の仕切り壁１２３を通り、上段収納容器１２０の扉側である手前部分から下段収納容器１１９の手前部分に入る部分から行われる。
【００６５】
また、蓋体１２２の野菜室用吐出口１２４と対向する部分は野菜室用吐出口１２４から流入した冷気が前方へ向かいやすいように傾斜部１２２ａを有しており、野菜室用吐出口１２４から流入する冷気の流れに対して鈍角で接することで、より前方かつ上方部分へと冷気の流れを誘導する形状としているので、野菜室用吐出口１２４から流入した冷気は、より蓋体１２２と第一の仕切り壁１２３との間を通りやすくなり、上段収納容器１２０の扉側である手前部分から下段収納容器１１９の手前部分の収納飲料収納部１６６に多量に入る。
【００６６】
このように、野菜室用吐出口１２４から収納容器への冷気の導入経路は、主に下段収納容器１１９の手前部分の収納飲料収納部１６６から冷たく乾燥した冷気が入るので、それらの冷たく乾燥した冷気で下段収納容器１１９の手前部分に収納された例えばペットボトル等の飲料を冷却し、その後下段収納容器１１９を経て、比較的湿度が高くなった冷気が上段収納容器１２０および静電霧化装置１３１付近へと流れ込むこととなる。よって、野菜室の手前側すなわち扉側よりも背面側の湿度を相対的高くすることができるので、背面側に配置された静電霧化装置１３１周辺は高湿度の雰囲気となり、静電霧化装置１３１で空気中の水分が結露しやすい環境にすることができる。
【００６７】
また、扉が閉じている場合に、蓋体１２２の背面側の背面蓋係合部１２２ｂと、背面蓋係合部１２２ｂと係合する上段収納容器１２０と上段収納容器係合部１２０ａとは互いに傾斜しているので、扉を閉じる際に発生する衝突音が扉を完全に閉めた時にのみ発生する。この背面蓋係合部１２２ｂと上段収納容器係合部１２０ａとが傾斜していない場合には、扉が完全に閉まる前から衝突し始める為、係合部の磨耗等の劣化や、衝突音によって使用者に不安感を抱かせる懸念がある。それに対して、本実施の形態では、係合部に傾斜を持たせることで、扉が完全に閉まる際に初めて背面蓋係合部１２２ｂと上段収納容器係合部１２０ａとが係合するので、扉を閉めている段階での衝突音が発生せず使用者に不安感を抱かせる事がなく、スムーズに扉を閉めることができる。
【００６８】
また、蓋体１２２の野菜室用吐出口１２４側の端部には下方へ延出したフランジ部１２２ｃが設けられていることで、野菜室用吐出口１２４から流入する低温で乾燥した冷気が直接上段収納容器１２０に流入することを防ぎ、上段収納容器１２０の高湿環境を保持している。
【００６９】
また、野菜室内を流れる冷気の最も下流に位置する野菜室用吸込口１２６から野菜室外へと流出する。
【００７０】
また、野菜室用吐出口１２４から冷気が野菜室１０７内へ流入していない場合には、下段収納容器１１９内部に収納された食品からは、投入時からの時間経過に伴い水分が蒸散する。この時、蒸散した水分を含んだ空気は、下段収納容器１１９内に流入した冷気の流れに沿って下段収納容器１１９の静電霧化装置１３１が配置されている側の側壁（本実施の形態では下段収納容器１１９の背面側の側壁）と上段収納容器１２０の底面とで区画される隙間の中で最も大きい隙間である冷気流出部から収納容器外に流出し、静電霧化装置１３１の左右方向に連続して設けられた湿度導入手段である上部リブ１６１によって風向を変えられ静電霧化装置１３１近傍へと到達する。
【００７１】
このとき、本実施の形態では静電霧化装置１３１を野菜室１０７の野菜室用吸込口が配置されている右側に、また、上部リブ１６１は静電霧化装置１３１の左側に配置したので、野菜室用吸込口から冷気が引っ張られることで、左側に比べて野菜室用吸込口側の右側が相対的に湿度が高くなるので、静電霧化装置１３１を野菜室１０７の野菜室用吸込口に配置することで、より静電霧化装置１３１周辺を高湿度とすることができ、空気中の水分を結露させやすくすることが可能となる。また、静電霧化装置１３１の両側に上部リブ１６１が備えられることが望ましく、これによって、高湿度の冷気が上方へ漏れ出すことを防ぎ、さらに静電霧化装置１３１周辺を高湿度とすることができる。
【００７２】
このように高湿度の雰囲気中に配置された静電霧化装置１３１は隣接した別区画の野菜室よりも低温の冷気からの熱伝導によりその内部が周囲温度よりも低く冷却されており、静電霧化装置１３１内部で空気中の水分が結露することになる。この結露した水を収納容器内部にミスト状に噴霧する。結果、収納食品からの蒸散水は静電霧化装置１３１により、再び収納食品自体に返されることになる。よって、静電霧化装置１３１を冷却する冷却手段は静電霧化装置１３１が備えられている貯蔵室よりも低温度帯の冷気が流れている空間でなければならず、このような冷却手段は風路を用いない場合でも、例えば隣接する低温度帯（例えば冷凍温度帯）の貯蔵室の冷気を用いても良い。
【００７３】
この時、静電霧化装置１３１によってミストが直接噴霧される下段収納容器１１９内の空間が高湿度の雰囲気となることは言うまでもないが、下段収納容器１１９の上部に位置する上段収納容器１２０内の空間へも静電霧化装置１３１によって噴霧されたミストが到達し、高湿度の空間となる。
【００７４】
これは、上段収納容器１２０は、その底面側の一部が下段収納容器１１９内に配置されており、この下段収納容器１１９内に配置されている上段収納容器１２０に複数の空気流通穴７１が設けられているので、下段収納容器１１９に充満したミストのうち、特に粒子径が小さく拡散性に飛んだミストが空気流通穴７１より上段収納容器１２０内の空間へ流入し、さらに上部が蓋体１２２によって閉塞されている上段収納容器１２０内の空間内からは湿度が流出しにくい為に高湿度を維持することが可能となる。
【００７５】
また、図３ｄに示すように上段収納容器１２０には取っ手部１２０ｂが形成されており、この部分が開口部となるが、図３ａに示すような野菜室内の冷気の風路の中で、蓋１２２の上方側から下方へ流れてくる冷気の流れに引っ張られ、この開口部である取っ手部１２０ｂからは上段収納容器１２０内への冷気の流入よりも流出の方が多くなり、実質的には上段収納容器１２０からの冷気の流出口となる。
【００７６】
よって、上段収納容器６５の側面もしくは底面に備えられた複数の空気流通穴７１がから高湿度の冷気が流入し、この取っ手部１２０ｂから流出する流れとなり、開口部による取っ手部１２０ｂを備えた場合でも乾燥した冷気が上段収納容器１２０へ流入しにくい構造となっていることで高湿度を維持することが可能となる。
【００７７】
さらに、上段収納容器１２０には蓋体１２２がされており、比較的低温の冷気の流入を防いでいるとともに、上記のように下段収納容器１１９から上方へと上がってきた比較的温度の高い高湿度冷気で上段収納容器１２０内の空間が冷却される為、保鮮性の向上に加え、低温障害の防止を図ることができ、特に低温障害の生じやすい野菜や果物を上段収納容器１２０内へ保存するとより新鮮な状態で野菜や果物を長持ちさせることが可能となる。
【００７８】
加えて、上段収納容器１２０の底面部は凹凸形状で形成された波型形状としているので、上段収納容器１２０内の野菜や果物に対してミスト粒子が上面や側面のみではなく底面からも廻り込んで保湿を行うことができ、より多角的な方向からミスト粒子を野菜や果物の周りに充満させることができ、さらに保鮮性を向上させることができる。
【００７９】
さらに、本実施の形態ではこの波形状を側面に備えられた空気流通穴７１から流入する冷気の流れと略平行となるよう上段収納容器１２０の左右方向に渡って凹部もしくは凸部が連続するように備えている。これによって、空気流通穴７１から流入したミストを含んだ冷気がより底面部へと回り込みやすくなるので、さらに保鮮性を向上させることが可能となる。
【００８０】
このように本実施の形態においては、野菜室内の冷気の流れをコントロールし、上手に使いわけている。まず、低温で乾燥した冷気をＰＥＴボトル等の飲料が置かれることが多い手前部分の収納飲料収納部１６６に多量に入れて、低温冷気を直接触れることになり、冷却スピードを確保しており、次に野菜室の手前側から流入した冷気が背面側へと流れるにつれて湿度が高くなっていくので、扉側よりも背面側の湿度を相対的高くすることで、背面側に配置された静電霧化装置１３１周辺は高湿度の雰囲気として静電霧化装置１３１で空気中の水分が結露しやすい環境にすることができる。さらに、貯蔵室内の水分を結露させた水滴を用いて静電霧化装置１３１によって噴霧されたミストは、粒子径が細かく拡散性の高い微細ミストとなって下段収納容器１１９を満たし、さらにその中でもさらに粒子径が小さく拡散性の高いミストがより下方に比べて温度が高い上方に位置する上段収納容器１２０へと流入して保湿を行うようにしている。
【００８１】
このように冷気の流れをコントロールすることによって、スピーディーに冷却したい収納物を手前部分の収納飲料収納部１６６に収納し、比較的低温障害等が起こりにくい一般的な野菜や果物を下段収納容器１１９へ、より低温障害が起こりやすい野菜や果物を上段収納容器１２０へと収納することで、それぞれの収納物に合った冷却を行うことができ、より品質が高く保鮮性を向上させた野菜室を提供することが可能となる。
【００８２】
また、上記のように野菜室用吐出口１２４から冷気が流入していない場合において、風路上、野菜室用吐出口１２４より上流に位置するダンパが閉じられていても、一般的には野菜室用吸込口１２６より下流にはダンパが備えられていない為、少しずつではあるが、収納容器である下段収納容器１１９内から野菜室用吸込口１２６の方向へと冷気の流れが発生する。しかし、野菜室用吸込口１２６より上方に下部リブ１６２が設けられていることで、蒸散した水分を含んだ空気は直接野菜室用吸込口１２６へ向かわず、上部リブ１６１と下部リブ１６２で区画された空間内に保持される。よって、上部リブ１６１と下部リブ１６２で区画された空間内は高湿度の冷気が滞留し、静電霧化装置１３１近傍へ集まるので、静電霧化装置１３１により湿気を回収しやすくなる。
【００８３】
これにより、高湿度雰囲気内に備えられた静電霧化装置１３１の霧化電極１３５が結露しやすくなるのでミストの発生効率が高くなる。
【００８４】
次に野菜室１０７と冷凍室１０８を仕切る第２仕切り壁１２５の構造について動作、作用を説明する。
【００８５】
第２仕切り壁１２５の上面空間は野菜室１０７で、内部は噴霧されるミストによって野菜室１０７内は高湿に維持された状態となっている。このため、野菜室１０７内の塵や不純物はミストおよび循環する冷気によって第２仕切り壁１２５表面に付着しやすく、汚れやすいという課題がある。
【００８６】
このため、下段収納容器１１９の下面の大半を占める後部仕切り壁１２５ｂが工具なしで簡単に取り付け、取り外しできる構成が望まれている。
【００８７】
そして取外し時は、第２仕切り壁１２５は前部仕切り壁１２５ａと後部仕切り壁１２５ｂとがリベット部材１７５で連結されているため、利用者は凸部１７５ａを摘んで回転させることで、基部１７５ｂの爪部１７５ｃが突起部１７１ｃを乗越えることでリベット部材１７５の係止状態を解除して回転可能となり、同時にリベット部材１７５の回転動作によって係止部１７５ｅは傾斜壁１７７との係合状態を解除されて、前部仕切り壁１２５ａと後部仕切り壁１２５ｂとの連結状態を解除することができる。
【００８８】
すべてのリベット部材１７５を利用者が手で操作して上記のように後部仕切り壁１２５ｂの固定解除することができるので、工具などを使わずに利用者が取り外すことができ使い勝手がよく、また野菜室１０７を引出し式の野菜室扉１１８とともに開放した状態で、野菜室１０７内部に手を入れて後部仕切り壁１２５ｂを前部仕切り壁１２５ａから取り外すことができるので、ミストの噴霧により汚れた表面を清掃することができる。
【００８９】
また、冷凍室１０８も引出し式の冷凍室扉１０８ａを前面に備え、内部に下部収納容器１０８ｂ、下部収納容器１０８ｂの上部に上部収納容器１０８ｃを備えており、冷凍室扉１０８ａを前後方向に開閉動作することで、特に上部収納容器１０８ｃに収納された食品が第２仕切り壁１２５の下面に摺れながら開閉動作される場合があり、このため第２仕切り壁１２５の下面を形成する下部仕切り枠１７２が着霜し、着霜したまま下部仕切り枠１７２に残る場合がある。このような場合でも後部仕切り壁１２５ｂを取り外して丸洗いすることで着霜状態をきれいに洗い流すことができる。
【００９０】
後部仕切り壁１２５ｂを前部仕切り壁１２５ａに固定する時は、第１奥面仕切り壁１１１の所定位置に押圧しながら前部仕切り壁１２５ａの第１段差部１７３上に後部仕切り壁１２５ｂの第２段差部１７４をラップさせ、リベット部材１７５を上部仕切り枠１７１の開口部１７１ｂに通して、他端側の係止部１７５ｅを第２段差部１７４の孔部１７６に貫通し、利用者が凸部１７５ａを摘んで回転させることで矩形状の係止部１７５ｅの傾斜部１７５ｇを傾斜壁１７７が移動しながらスムーズに係合するので、係止部１７５ｅに応力がかかり過ぎず係止部１７５ｅ面と傾斜壁１７７とで係合関係を形成することができる。よって前部仕切り壁１２５ａから後部仕切り壁１２５ｂが抜けるのを防止し、さらに突起部１７１ｃが傾斜部１７５ｆを移動して爪部１７５ｃを乗り越えて爪部１７５ｃと突起部１７１ａとがリベット部材１７５の回転阻止構造となって係合固定状態となる。
【００９１】
よって後部仕切り壁１２５ｂの突起部１７１ｃとリベット部材１７５の爪部１７５ｃとによってリベット部材１７５の回転防止を行い、前部仕切り壁１２５ａの傾斜壁１７７とリベット部材１７５の係止部１７５ｅとによって、後部仕切り壁１２５ｂの抜けを防止し、前部仕切り壁１２５ａに後部仕切り壁１２５ｂを押えつけて密着固定することができ、強度を高めることができる。
【００９２】
上記のように、利用者は工具等を使わずに手を使ってリベット部材１７５を回転させることで後部仕切り壁１２５ｂの着脱を容易に行うことができ、さらに取り外した後部仕切り壁１２５ｂを丸洗いすることができる。
【００９３】
また、実施形態の冷蔵庫の場合、野菜室１０７の下方に第２仕切り壁１２５を介して冷凍室１０８が構成されているため、冷凍室１０８内の冷熱が第２仕切り壁１２５を介して野菜室１０７に熱伝導して、野菜室１０７内が過冷され内部の食品が凍る可能性がある。
【００９４】
このため後部仕切り壁１２５ｂの断熱部材１７０と樹脂製の上部仕切り枠１７１との間にはアルミ箔ヒータあるいは面ヒータなどのヒータ部材１８４が配設される場合がある。
【００９５】
この場合、ヒータ部材１８４と断熱部材１７０との間にはヒータ部材１８４を絶縁する樹脂製の保護板部材１８５が配置されている。
【００９６】
この場合、リベット部材１７５を外した時、後部仕切り壁１２５ｂのうち上部仕切り枠１７１、ヒータ部材１８４そして保護板部材１８５は取り外さないで取付けたまま、断熱部材１７０と下部仕切り枠１７２とを取り外すことで、特に、冷凍室１０８の冷凍室ドア１０８ａを前後に引き出し操作を繰り返した時に、上部収納容器１０８ｃ内の食品が後部仕切り壁１２５ｂの下面部に接触することによる下部仕切り枠１７２の着霜状態や汚れを拭き取ったり洗い流すことができる。
【００９７】
また、冷凍室の引出し扉１０８ａを前方に引出すことで、下部収納容器１０８ｂを室外へ引出して、第２奥面仕切り壁１８０を取り外すことができる。具体的には、冷凍室１０８の奥面を形成する第２奥面仕切り壁１８０の第２奥面仕切り壁表面部材１８１の両側部および下部に設けた爪部１８１ａと奥面仕切り壁裏面部材１８３の爪引っ掛け部１８３ａとが係止しているため、サービスマンは冷却室１１０のサービス時に工具等を使用することなく、手で両側部および下部の係止構造を解除し、冷却室１１０内部をチェックすることができる。
【００９８】
そして、両側部および下部の係止構造を解除された第２奥面仕切り壁表面部材１８１を下方に移動させることで、第１奥面仕切り壁表面部材１５１の下部内部から第２奥面仕切り壁表面部材１８１の上部の爪部１８１ａを引出すことができ、第２奥面仕切り壁表面部材１８１を取り外すことができる。
【００９９】
その後、第２断熱材１８２を取り外すことができ、奥面仕切り壁裏面部材１８３の一部が露出される。
【０１００】
露出した奥面仕切り壁裏面部材１８３の側部には冷蔵室１０４や切替室１０５や製氷室１０６、野菜室１０７の戻り風路１８３ｂが形成されており、さらに戻り風路１８３ｂと冷却室１１０とを連通する冷気戻り口１８３ｃが形成されている。
【０１０１】
そして、利用者は上記のように第２奥面仕切り壁１８０を取り外して、露出した奥面仕切り壁裏面部材１８３の冷気戻り口１８３ｃから冷却室１１０内を見ることができ、冷却室１１０内に配置した冷却器１１２の着霜状態を直接チェックすることができ、異常着霜の場合は、庫内への食品詰め込みを抑制するように啓蒙を行うことができる。
【０１０２】
また、奥面仕切り壁２００を第１奥面仕切り壁表面部材１５１と第２奥面仕切り壁表面部材１８１との２部品で上下に連結固定しているので、第１、第２奥面仕切り壁表面部材１５１，１８１の強度ＵＰを図ることができる。
【０１０３】
なお、奥面仕切り壁裏面部材１８３は、前方に配置する第１奥面仕切り壁表面部材１５１と第２奥面仕切り壁表面部材１８１に対して一体成形した構成としたが、奥面仕切り壁裏面部材１８３を第１奥面仕切り壁表面部材１５１と第２奥面仕切り壁表面部材１８１に対応させて上下別部品とし、上部奥面仕切り壁裏面部材１８３ｄと下部奥面仕切り壁裏面部材１８３ｅとしてもよく、これによって第２奥面仕切り壁表面部材１８１後方の下部奥面仕切り壁裏面部材１８３ｅを第２断熱材１８２の後に取り外せば、サービスマンは冷却器１１２の下流側を全幅で直接視認することができ、さらに着霜状態のチェックを容易に行うことができるのでサービス時間の短縮を図ることができ、外へ出した食品の品質維持を図ることができる。
【０１０４】
なお、本実施の形態において、野菜室１０７と冷凍室１０８との配置相関関係は、野菜室１０７を上部室、冷凍室１０８を下部室としたが、野菜室１０７を下部室、冷凍室１０８を上部室とした場合でも、野菜室１０７と冷凍室１０８とを上下に仕切る仕切り壁を工具なしで取外すことができ、さらに冷却室１１０を仕切る奥面仕切り壁の一部を外して冷却室１１０内を目視することができ、サービス性を高めることができる。
【０１０５】
なお、本実施の形態において、第２仕切り壁１２５を工具なしで着脱可能としたが、第一の仕切り壁１２３または冷蔵室１０４と切替室１０６を上下に仕切る第三の仕切り壁１９０の奥面に亘って奥面仕切り壁２００が形成されていれば、冷蔵庫１００の組立て時、奥面仕切り壁２００を組立てた後、第一の仕切り壁１２３または第三の仕切り壁１９０を組立てる順序になるので、さらに第一の仕切り壁１２３または第三の仕切り壁１９０を工具ないしで着脱可能に構成した冷蔵庫が可能となる。
【産業上の利用可能性】
【０１０６】
以上のように、本発明にかかる冷蔵庫は、家庭用又は業務用冷蔵庫に対して実施することはもちろん、多段に構成した冷却庫などの用途にも適用できる。
【図面の簡単な説明】
【０１０７】
【図１】本発明の実施の形態１における冷蔵庫の縦断面図
【図２ａ】本発明の実施の形態１における冷蔵庫の野菜室近傍の正面図
【図２ｂ】本発明の実施の形態１における冷蔵庫の野菜室近傍の別形態の正面図
【図３ａ】本発明の実施の形態１における冷蔵庫の野菜室近傍の断面図
【図３ｂ】本発明の実施の形態１における冷蔵庫の野菜室の側面図
【図３ｃ】図３ｂのＡ部拡大図
【図４】図２ａのＡ−Ａ部の静電霧化装置近傍の詳細断面図
【図５ａ】本発明の実施の形態１における冷蔵庫の第２仕切り壁の斜視図
【図５ｂ】図５の第２仕切り壁の斜視図
【図６ａ】本発明の実施の形態１における冷蔵庫のリベット部材の斜視図
【図６ｂ】本発明の実施の形態１における冷蔵庫のリベット部材の平面図
【図７ａ】本発明の実施の形態１における冷蔵庫の第２仕切り壁のリベット部材による固定前の斜視図
【図７ｂ】本発明の実施の形態１における冷蔵庫の第２仕切り壁のリベット部材による固定時の斜視図
【図７ｃ】図５ｂのＢ−Ｂ断面図
【図８】本発明の実施の形態１における冷蔵庫の要部断面図
【図９】本発明の実施の形態１における冷蔵庫の奥面仕切り壁の斜視図
【図１０】本発明の実施の形態１における冷蔵庫の要部断面図
【図１１】本発明の実施の形態１における冷蔵庫の仕切り壁の分解斜視図
【図１２】従来の冷蔵庫の断面図
【符号の説明】
【０１０８】
１００  冷蔵庫
１０１  断熱箱体
１０４  冷蔵室
１０７  野菜室
１０８  冷凍室
１１０  冷却室
１１２  冷却器
１１１  第１奥面仕切り壁（上部奥面仕切り壁）
１２５  第二の仕切り壁（断熱仕切り壁）
１２５ａ  前部仕切り壁
１２５ｂ  後部仕切り壁
１３１  静電霧化装置
１７５  リベット部材
１８０  第２奥面仕切り壁（下部奥面仕切り壁）
１８３  奥面仕切り壁裏面部材
１８４  ヒータ部材
２００  奥面仕切り壁
【図１】
0005228505.tif 000002
【図２ａ】
0005228505.tif 000003
【図２ｂ】
0005228505.tif 000004
【図３ａ】
0005228505.tif 000005
【図３ｂ】
0005228505.tif 000006
【図３ｃ】
0005228505.tif 000007
【図４】
0005228505.tif 000008
【図５ａ】
0005228505.tif 000009
【図５ｂ】
0005228505.tif 000010
【図６ａ】
0005228505.tif 000011
【図６ｂ】
0005228505.tif 000012
【図７ａ】
0005228505.tif 000013
【図７ｂ】
0005228505.tif 000014
【図７ｃ】
0005228505.tif 000015
【図８】
0005228505.tif 000016
【図９】
0005228505.tif 000017
【図１０】
0005228505.tif 000018
【図１１】
0005228505.tif 000019
【図１２】
0005228505.tif 000020